(57)【要約】      （修正有）【課題】燃えるおそれがなく、経年変化や熱による劣化のおそれがなく、軽量でかさばらず、一度に多く運搬でき、製造コストが安いパイプ用シート固定具を提供する。【解決手段】鋼線材でできた締付金物１と、締付金物に対し回転可能に連結される締付力付与金物９とからなり、締付金物は、パイプの軸方向に沿ってシートを介しパイプに当接される第１辺４および第２辺５と、半円形状に湾曲し、パイプにシートを介し当接される第３辺６および第４辺７からなり、第３辺および第４辺の第２辺に近接した、突出部８が形成され、締付力付与金物は、第５辺１０および第６辺１１と、第７辺１２とからなり、第５辺および第６辺の連結側端部Ａは、コーナー部Ｐ１およびコーナー部Ｐ２に軸支され、第５辺および第６辺は、第３辺および第４辺の外側に平行に配され、第７辺は、連結側端部を中心として回転し、突出部では、突出部上を締付力付与金物の弾性力に抗して摺動する。【選択図】図１
2016061400.tif 000002
【特許請求の範囲】
【請求項１】
シートをパイプに固定するパイプ用シート固定具において、
前記シートを介して前記パイプを締め付ける、平面視、矩形状をなす締付金物と、前記締付金物に締付力を付与する、平面視、コ字形状をなす、前記締付金物に対して回転可能に連結される締付力付与金物とからなり、
前記締付金物および前記締付力付与金物は、何れも、鋼線材を折り曲げたもので形成され、前記締付金物は、前記パイプの軸方向に沿って前記シートを介して前記パイプに当接される一対の平行な第１辺および第２辺と、前記パイプの周方向に沿って半円形状に湾曲し、前記パイプに前記シートを介して当接される一対の平行な第３辺および第４辺とからなり、前記第３辺および前記第４辺の前記第２辺に近接した部分には、外方に突出する突出部が形成され、
前記締付力付与金物は、前記パイプの周方向に沿って半円形状に湾曲した一対の平行な第５辺および第６辺と、前記第５辺および前記第６辺の反連結側端部間に形成された第７辺とからなり、前記第５辺および前記第６辺の連結側端部は、前記第１辺と前記第３辺とのコーナー部および前記第１辺と前記第４辺とのコーナー部に軸支され、前記第５辺および前記第６辺は、前記第３辺および前記第４辺の外側に平行に配され、前記第７辺は、前記連結側端部を中心として回転し、前記突出部では、前記突出部上を前記締付力付与金物の弾性力に抗して摺動することを特徴とするパイプ用シート固定具。
【請求項２】
シートをパイプに固定するパイプ用シート固定具において、
前記シートを介して前記パイプを締め付ける、平面視、矩形状をなす締付金物と、前記締付金物に締付力を付与する、平面視、矩形状をなす、前記締付金物に対して回転可能に連結される締付力付与金物とからなり、
前記締付金物および前記締付力付与金物は、何れも、鋼線材を折り曲げたもので形成され、前記締付金物は、前記パイプの軸方向に沿って前記シートを介して前記パイプに当接される一対の平行な第１辺および第２辺と、前記パイプの周方向に沿って半円形状に湾曲し、前記パイプに前記シートを介して当接される一対の平行な第３辺および第４辺とからなり、前記第３辺および前記第４辺の前記第２辺に近接した部分には、外方に突出する突出部が形成され、
前記締付力付与金物は、前記パイプの周方向に沿って半円形状に湾曲した一対の平行な第５辺および第６辺と、前記第５辺および前記第６辺の反連結側端部間に形成された第７辺と、前記第５辺および前記第６辺の連結側端部間に形成された第８辺とからなり、前記第８辺は、前記第１辺と前記第３辺とのコーナー部および前記第１辺と前記第４辺とのコーナー部に軸支され、前記第５辺および前記第６辺は、前記第３辺および前記第４辺の外側に平行に配され、前記第７辺は、前記第８辺を中心として回転し、前記突出部では、前記突出部上を前記締付力付与金物の弾性力に抗して摺動することを特徴とするパイプ用シート固定具。
【請求項３】
前記コーナー部には、リング状折曲部が形成され、前記第５辺および前記第６辺の連結側端部には、前記連結側端部を内側に折り曲げることによりＬ状折曲部が形成され、前記Ｌ状折曲部は、前記リング状折曲部内に挿入されていることを特徴とする、請求項１に記載のパイプ用シート固定具。
【請求項４】
前記コーナー部には、リング状折曲部が形成され、前記第８辺は、前記リング状折曲部内に挿入されていることを特徴とする、請求項２に記載のパイプ用シート固定具。
【請求項５】
前記第２辺には、外方に湾曲する湾曲部が形成されていることを特徴とする、請求項１から４の何れか１つに記載のパイプ用シート固定具。
【請求項６】
前記第７辺には、外方に湾曲する湾曲部が形成されていることを特徴とする、請求項１から５の何れか１つに記載のパイプ用シート固定具。
【請求項７】
前記鋼線材は、ステンレス鋼からなっていることを特徴とする、請求項１から６の何れか１つに記載のパイプ用シート固定具。
【請求項８】
前記シートは、不燃シートからなっていることを特徴とする、請求項１から７の何れか１つに記載のパイプ用シート固定具。
【請求項９】
前記パイプは、足場用単管パイプからなっていることを特徴とする、請求項１から８の何れか１つに記載のパイプ用シート固定具。
【発明の詳細な説明】
【技術分野】
【０００１】
この発明は、パイプ用シート固定具、特に、パイプに不燃シート等のシートを容易かつ確実に固定することができるパイプ用シート固定具に関するものである。
【背景技術】
【０００２】
施設内において各種設備の設置、改修あるいは撤去等を行う場合、溶接、溶断あるいはグラインダーによる研磨作業等によって、周囲に火花や溶融金属が飛散するおそれがある。従って、このような火の気が生じる火気作業を行う現場では、火気養生を行う必要がある。特に、原子力発電所内において火気作業を行う場合には、火気養生の方法が厳格に定められている。
【０００３】
火気養生の方法としては、作業現場の周囲に足場用単管パイプによって枠体を組み立て、ブリキ板や不燃シートにより床面を覆い、そして、足場用単管パイプに不燃シートを隙間なく固定する方法がある。
【０００４】
このようにして火気養生を行う場合、不燃シートに張力がかかっても不燃シートが足場単管パイプから容易に外れることがないように、不燃シートを足場用単管パイプに強固に固定する必要がある。
【０００５】
特許文献１には、パイプにシートを固定する固定具の一例が開示されている。以下、この固定金具を従来固定具といい、図面を参照しながら説明する。
【０００６】
図１０は、従来固定具を示す斜視図、図１１は、従来固定具を示す正面図、図１２は、従来固定具を示す背面図、図１３は、従来固定具を示す側面図である。
【０００７】
図１０から図１３に示すように、従来固定具は、断面Ｃ字状をなす円筒状の固定具本体２１と、固定具本体２１を縮径させる締付けばね２２と、固定具本体２１に取り付けられた滑り止め２３とからなっている。
【０００８】
固定具本体２１は、樹脂からなり可撓性を有している。対向する端部の一方の外面には、締付けばね２２の基端部を係止する係止部２１ａが形成されている。
【０００９】
締付けばね２２は、略コ字状のＳＵＳ等の金属線材を固定具本体２１の外径より若干小径に略円弧状に湾曲させたものからなっている。締付けばね２２の基端部は、固定具本体２１の対向する端部の他方の外面に形成された突部２１ｂに軸支され、締付けばね２２の先端部は、固定具本体２１の拡径しようとする弾性力に抗して固定具本体２１の係止部２１ａに係止される。締付けばね２２の先端中央部には、湾曲部２２ａが形成され、係止部２１ａに係止された締付けばね２２の先端部を係止部２１ａから外す際に、シノ等の工具により締付けばね２２をこじりやすいようになっている。
【００１０】
滑り止め２３は、ゴム等の弾性材からなり、対向する両端部の内面に、固定具本体２１の軸線方向に沿って取り付けられている。滑り止め２３は、シート２４（図１４参照）に密着するように、固定具本体２１の内面から若干突出し、パイプ２５に巻き付けられたシート２４の滑りを防止している。
【００１１】
上述した従来固定金具により、シートをパイプに固定する方法を、図面を参照しながら説明する。図１２は、従来固定具の使用状態を示す断面図である。
【００１２】
先ず、締付けばね２２の先端部を固定具本体２１の係止部２１ａから外した状態（図１４中、二点鎖線で示す状態）で、固定具本体２１の対向する端部間の隙間からシート２４を介してパイプ２５を固定具本体２１内に押し込む。固定具本体２１は、可撓性を有しているので、パイプ２５の押し込み時には、固定具本体２１の対向する端部間の隙間は広がり、パイプ２５の押し込み終了時には、元の状態に戻る。
【００１３】
次に、締付けばね２２をその基端部を中心として回転させて、締付けばね２２の先端部を固定具本体２１の係止部２１ａに係止させる。これにより、固定具本体２１は、固定具本体２１の拡径しようとする弾性力に抗して縮径し、これによって、シート２４は、固定具本体２１によりパイプ２５に押さえ付けられる。この結果、シート２４は、パイプ２５に固定される。
【００１４】
一方、従来固定金具により、シート２４をパイプ２５から取り外すには、シノ等の工具の先端を締付けばね２２の湾曲部２２ａに挿入して締付けばね２をこじあける。
【先行技術文献】
【特許文献】
【００１５】
【特許文献１】特開２００７−１２０１３４号公報
【発明の概要】
【発明が解決しようとする課題】
【００１６】
上述した従来固定具によれば、締付けばね２２の先端部を固定具本体２１の係止部２１ａに係止させて、固定具本体２１を縮径させると、シート２４は、固定具本体２１によってパイプ２５に押し付けられるので、シート２４は、パイプ１５に固定される。この結果、シート２４に張力がかかってもシート２４がパイプ２５から外れるおそれはない。しかも、滑り止め２３の機能により、シート２４のパイプ２５からの外れをより確実に防止することができる。
【００１７】
しかしながら、従来固定具には、以下のような問題があった。
【００１８】
（ａ）固定具本体２１は、樹脂製であるので、火気作業時に生じる火花や溶融金属の飛散によって燃えるおそれがあった。このために、固定具本体２１をアルミ箔や難燃テープ等の養生材により養生する必要があるが、この養生作業に手間とコストがかかると共に、使用後の養生材の処理にも手間とコストがかかる。
（ｂ）固定具本体２１は、樹脂製であるので、経年変化や熱による劣化が進行すると、割れや変形が生じるおそれがあった。特に、固定具本体２１の係止部２１ａに割れや変形が生じると、締付けばね２２の係止が行なえず、シート２４をパイプ２５に固定することができない。
（ｃ）滑り止め２３は、ゴム等の弾性材からなっているので、経年変化や熱による劣化が進行すると、滑り止め効果が失われるおそれがあった。
（ｄ）固定具本体２１は、樹脂製でかさばると共に重量があるので、一度に多くを運搬することができない。
（ｅ）固定具本体２１の製造にコストがかかる。
【００１９】
従って、この発明の目的は、火気作業時に生じる火花や溶融金属の飛散によって燃えるおそれがなく、経年変化や熱による劣化のおそれがなく、しかも、軽量でかさばらないので、一度に多くを運搬することができ、さらに、製造コストが安いパイプ用シート固定具を提供することにある。
【課題を解決するための手段】
【００２０】
この発明は、上記目的を達成するためになされたものであり、下記を特徴とするものである。
【００２１】
請求項１に記載の発明は、シートをパイプに固定するパイプ用シート固定具において、前記シートを介して前記パイプを締め付ける、平面視、矩形状をなす締付金物と、前記締付金物に締付力を付与する、平面視、コ字形状をなす、前記締付金物に対して回転可能に連結される締付力付与金物とからなり、前記締付金物および前記締付力付与金物は、何れも、鋼線材を折り曲げたもので形成され、前記締付金物は、前記パイプの軸方向に沿って前記シートを介して前記パイプに当接される一対の平行な第１辺および第２辺と、前記パイプの周方向に沿って半円形状に湾曲し、前記パイプに前記シートを介して当接される一対の平行な第３辺および第４辺とからなり、前記第３辺および前記第４辺の前記第２辺に近接した部分には、外方に突出する突出部が形成され、前記締付力付与金物は、前記パイプの周方向に沿って半円形状に湾曲した一対の平行な第５辺および第６辺と、前記第５辺および前記第６辺の反連結側端部間に形成された第７辺とからなり、前記第５辺および前記第６辺の連結側端部は、前記第１辺と前記第３辺とのコーナー部および前記第１辺と前記第４辺とのコーナー部に軸支され、前記第５辺および前記第６辺は、前記第３辺および前記第４辺の外側に平行に配され、前記第７辺は、前記連結側端部を中心として回転し、前記突出部では、前記突出部上を前記締付力付与金物の弾性力に抗して摺動することに特徴を有するものである。
【００２２】
請求項２に記載の発明は、シートをパイプに固定するパイプ用シート固定具において、前記シートを介して前記パイプを締め付ける、平面視、矩形状をなす締付金物と、前記締付金物に締付力を付与する、平面視、矩形状をなす、前記締付金物に対して回転可能に連結される締付力付与金物とからなり、前記締付金物および前記締付力付与金物は、何れも、鋼線材を折り曲げたもので形成され、前記締付金物は、前記パイプの軸方向に沿って前記シートを介して前記パイプに当接される一対の平行な第１辺および第２辺と、前記パイプの周方向に沿って半円形状に湾曲し、前記パイプに前記シートを介して当接される一対の平行な第３辺および第４辺とからなり、前記第３辺および前記第４辺の前記第２辺に近接した部分には、外方に突出する突出部が形成され、前記締付力付与金物は、前記パイプの周方向に沿って半円形状に湾曲した一対の平行な第５辺および第６辺と、前記第５辺および前記第６辺の反連結側端部間に形成された第７辺と、前記第５辺および前記第６辺の連結側端部間に形成された第８辺とからなり、前記第８辺は、前記第１辺と前記第３辺とのコーナー部および前記第１辺と前記第４辺とのコーナー部に軸支され、前記第５辺および前記第６辺は、前記第３辺および前記第４辺の外側に平行に配され、前記第７辺は、前記第８辺を中心として回転し、前記突出部では、前記突出部上を前記締付力付与金物の弾性力に抗して摺動することに特徴を有するものである。
【００２３】
請求項３に記載の発明は、請求項１に記載の発明において、前記コーナー部には、リング状折曲部が形成され、前記第５辺および前記第６辺の連結側端部には、前記連結側端部を内側に折り曲げることによりＬ状折曲部が形成され、前記Ｌ状折曲部は、前記リング状折曲部内に挿入されていることに特徴を有するものである。
【００２４】
請求項４に記載の発明は、請求項２に記載の発明において、前記コーナー部には、リング状折曲部が形成され、前記第８辺は、前記リング状折曲部内に挿入されていることに特徴を有するものである。
【００２５】
請求項５に記載の発明は、請求項１から４の何れか１つに記載の発明において、前記第２辺には、外方に湾曲する湾曲部が形成されていることに特徴を有するものである。
【００２６】
請求項６に記載の発明は、請求項１から５の何れか１つに記載の発明において、前記第７辺には、外方に湾曲する湾曲部が形成されていることに特徴を有するものである。
【００２７】
請求項７に記載の発明は、請求項１から６の何れか１つに記載の発明において、前記鋼線材は、ステンレス鋼からなっていることに特徴を有するものである。
【００２８】
請求項８に記載の発明は、請求項１から７の何れか１つに記載の発明において、前記シートは、不燃シートからなっていることに特徴を有するものである。
【００２９】
請求項９に記載の発明は、請求項１から８の何れか１つに記載の発明において、前記パイプは、足場用単管パイプからなっていることに特徴を有するものである。
【発明の効果】
【００３０】
この発明によれば、鋼線材を折り曲げたもので構成することにより、火気作業時に生じる火花や溶融金属の飛散によって燃えるおそれがないと共に、経年変化や熱による劣化のおそれがなく、しかも、軽量でかさばらないので、一度に多くを持ち運ぶことができ、さらに、製造コストが安いパイプ用シート固定具を提供することができる。
【図面の簡単な説明】
【００３１】
【図１】この発明のパイプ用シート固定具を開いた状態を示す斜視図である。
【図２】この発明のパイプ用シート固定具を閉じた状態を示す斜視図である。
【図３】この発明のパイプ用シート固定具を示す正面図である。
【図４】この発明のパイプ用シート固定具を示す平面図である。
【図５】この発明のパイプ用シート固定具を示す側面図である。
【図６】この発明のパイプ用シート固定具の使用状態を示す断面図である。
【図７】この発明のパイプ用シート固定具の使用状態を示す斜視図である。
【図８】この発明の別のパイプ用シート固定具を開いた状態を示す斜視図である。
【図９】この発明の別のパイプ用シート固定具を閉じた状態を示す斜視図である。
【図１０】従来固定具を示す斜視図である。
【図１１】従来固定具を示す正面図である。
【図１２】従来固定具を示す背面図である。
【図１３】従来固定具を示す側面図である。
【図１４】従来固定具の使用状態を示す断面図である。
【発明を実施するための形態】
【００３２】
この発明のパイプ用シート固定具の一実施態様を、図面を参照しながら説明する。
【００３３】
図１は、この発明のパイプ用シート固定具を開いた状態を示す斜視図、図２は、この発明のパイプ用シート固定具を閉じた状態を示す斜視図、図３は、この発明のパイプ用シート固定具を示す正面図、図４は、この発明のパイプ用シート固定具を示す平面図、図５は、この発明のパイプ用シート固定具を示す側面図である。
【００３４】
なお、この例では、工事用単管パイプ（以下、単にパイプという。)に不燃シート(以下、単にシートという。)を固定する場合について説明するが、不燃シート以外のシートをパイプに固定する場合にも適用可能である。
【００３５】
図１から図５において、１は、鋼線材を折り曲げたもので形成されている締付金物である。締付金物１は、後述する締付力付与金物９によりシート２を介してパイプ３を締め付けて、シート２をパイプ３に固定する機能を有している（図６、図７参照）。
【００３６】
締付金物１は、平面視、矩形状をなし、パイプ３の軸方向に沿ってシート２を介してパイプ３に当接され、締付力付与金物９によりパイプ３を締め付ける一対の平行な第１辺４および第２辺５と、パイプ３の周方向に沿って半円形状に湾曲し、パイプ３にシート２を介して当接される一対の平行な第３辺６および第４辺７とからなっている。
【００３７】
第３辺６および第４辺７の第２辺５に近接した部分には、外方に突出する突出部８が山状に形成され、締付力付与金物９の後述する第７辺１２は、突出部８上を摺動する。第２辺５の中央部には、外方に湾曲する湾曲部５ａが形成されている。湾曲部５ａは、湾曲部５ａ内にシノ等の工具の先端部を挿入して、締付金物１をこじり、これによって、締付金物１をパイプ３から取り外しやすくする機能を有している。
【００３８】
９は、鋼線材を折り曲げたもので形成されている締付力付与金物である。締付力付与金物９は、締付金物１に対して回転可能に連結され、締付金物１に締付力を付与する機能を有している。締付力付与金物９は、平面視、コ字形状をなし、パイプ３の周方向に沿って半円形状に湾曲した一対の平行な第５辺１０および第６辺１１と、第５辺１０および第６辺１１の反連結側端部間に形成された第７辺１２とからなっている。第５辺１０および第６辺１１は、締付金物１の第３辺６および第４辺７の外側に平行に配されている。第７辺１２の中央部には、外方に湾曲する湾曲部１２ａが形成されている。湾曲部１２ａは、湾曲部１２ａ内にシノ等の工具の先端部を挿入して、締付力付与金物９をこじり、これによって、締付力付与金物９をパイプ３から取り外しやすくする機能を有している。
【００３９】
第５辺１０および第６辺１１の連結側端部（Ａ）は、第１辺４と第３辺６とのコーナー部（Ｐ１）および第１辺４と第４辺７とのコーナー部（Ｐ２）に軸支され、これによって、締付力付与金物９は、締付金物１のコーナー部（Ｐ１）およびコーナー部（Ｐ２）を中心として回転可能になっている。
【００４０】
すなわち、コーナー部（Ｐ１）、（Ｐ２）には、リング状折曲部１３が形成され、第５辺１０および第６辺１１の連結側端部（Ａ）には、連結側端部（Ａ）を内側に折り曲げることによりＬ状折曲部１４が形成されている。そして、Ｌ状折曲部１４は、リング状折曲部１３内に挿入されている。これによって、締付力付与金物９は、締付金物１のコーナー部（Ｐ１）およびコーナー部（Ｐ２）を中心として回転可能になっている。
【００４１】
このように、締付力付与金物９は、締付金物１に回転可能に取り付けられているので、締付力付与金物９を回転させると、締付力付与金物９の第７辺１２は、締付金物１の突出部８上を摺動しながら、突出部８を通過し、締付金物１の第２辺５と重なる位置まで移動する。そして、この間、第７辺１２は、締付金物１の第３辺６および第４辺７を、締付力付与金物９の第５辺１０および第６辺１１の弾性力によりパイプ３側に押し付ける。これによって、締付金物１の第１辺４および第２辺５は、シート２を介してパイプ３を締め付けるので、シート２は、パイプ３に固定される。
【００４２】
このように、第７辺１２が第２辺５と重なる位置まで移動した後も、第７辺１２が第３辺６および第４辺７をパイプ３側に押し付けるように、突出部８、第５辺１０および第６辺１１の湾曲形状が調整されている。
【００４３】
第７辺１２が第２辺５と重なる位置まで移動した後は、突出部８がストッパーの機能を果たす結果、強制的に締付力付与金物９を逆方向に回転させる力が締付力付与金物９に付与されない限り、第７辺１２が突出部８を乗り越えて元に戻るおそれはない。すなわち、締付力付与金物９が締付金物１から外れるおそれはない。
【００４４】
パイプ３が第３辺６および第４辺７内に嵌め込まれているので、第７辺１２が突出部８に至り、突出部８の頂部を超え、第２辺５と重なる位置まで移動する間、第３辺６および第４辺７は、シート２の厚みの圧縮分だけ内側に変形するものの、それ以上の変形は生じない。これによって、シート２は、強固にパイプ３に固定される。
【００４５】
以上のように構成されている、この発明のパイプ用シート固定具によりシートをパイプに固定する方法を、図面を参照しながら説明する。
【００４６】
図６は、この発明のパイプ用シート固定具の使用状態を示す断面図、図７は、この発明のパイプ用シート固定具の使用状態を示す斜視図である。
【００４７】
図６および図７に示すように、先ず、締付金物１の第３辺６および第４辺７をシート２が巻き付けられたパイプ３に嵌め込んで締付金物１をパイプ３に嵌め込む。
【００４８】
次いで、締付力付与金物９をＬ状折曲部１４を中心として、第７辺１２が締付金物１の突出部８を乗り越え、第２辺５に重なる位置まで回転させる。これによって、第７辺１２が締付金物１の第３辺６および第４辺７を押さえ付けるので、パイプ３は、締付金物１の、特に、第１辺４および第２辺５によってシート２を介して締め付けられる。この結果、シート２は、パイプ３に固定される。
【００４９】
一方、この発明のパイプ用シート固定具をパイプ３から取り外すには、先ず、シノ等の工具（図示せず）の先端部を締付力付与金物９の第７辺１２の湾曲部１２ａに挿入して、第７辺１２をこじって締付金物１から外す。
【００５０】
次いで、シノ等の工具の先端部を締付金物１の第２辺５の湾曲部５ａに挿入して、締付金物１をこじれば、パイプ用シート固定具をパイプ３から取り外すことができる。
【００５１】
以上説明したように、この発明によれば、締付金物１および締付力付与金物９を鋼線材を折り曲げたもので構成することにより、火気作業時に生じる火花や溶融金属の飛散によって燃えるおそれがなく、経年変化や熱による劣化のおそれがない。
【００５２】
また、この発明によれば、鋼線材で構成することにより、軽量でかさばらない。この結果、一度に多くを持ち運ぶことができ、しかも、安価に製造することができる。
【００５３】
この発明の別のパイプ用シート固定具を、図面を参照しながら説明する。
【００５４】
図８は、この発明の別のパイプ用シート固定具を開いた状態を示す斜視図、図９は、この発明の別のパイプ用シート固定具を閉じた状態を示す斜視図である。
【００５５】
図８および図９に示すように、別のパイプ用シート固定具は、締付力付与金物９の第５辺１０と第６辺１１の連結側端部（Ａ）間が第８辺１５により連結されている点でのみ、上述したパイプ用シート固定具と異なる。
【００５６】
第８辺１５は、コーナー部（Ｐ１）、（Ｐ２）に形成されたリング状折曲部１３内に挿入され、これによって、締付力付与金物９は、締付金物１のコーナー部（Ｐ１）およびコーナー部（Ｐ２）を中心として、すなわち、第８辺１５を中心として回転可能になっている。
【００５７】
この発明の別のパイプ用シート固定具によりシートをパイプに固定する方法は、上述したパイプ用シート固定具の場合と同様である。
【００５８】
この発明の別のパイプ用シート固定具によれば、締付力付与金物９の第５辺１０と第６辺１１の連結側端部（Ａ）間が第８辺１５により連結されていることによって、締付力付与金物９の強度が増す。
【００５９】
また、他社のパイプ用シート固定具と判別しやすいように、会社名等を記載したタグを締付力付与金物９に取り付ける場合、タグが締付力付与金物９から外れてしまうことを確実に防止することができる。
【符号の説明】
【００６０】
１：締付金物
２：シート
３：パイプ
４：第１辺
５：第２辺
５ａ：湾曲部
６：第３辺
７：第４辺
８：突出部
９：締付力付与金物
１０：第５辺
１１：第６辺
１２：第７辺
１３：リング状折曲部
１４：Ｌ状折曲部
１５：第８辺
２１：固定具本体
２１ａ：係止部
２１ｂ：突部
２２：締付けばね
２２ａ：湾曲部
２３：滑り止め
２４：シート
２５：パイプ
【図１】
2016061400.tif 000003
【図２】
2016061400.tif 000004
【図３】
2016061400.tif 000005
【図４】
2016061400.tif 000006
【図５】
2016061400.tif 000007
【図６】
2016061400.tif 000008
【図７】
2016061400.tif 000009
【図８】
2016061400.tif 000010
【図９】
2016061400.tif 000011
【図１０】
2016061400.tif 000012
【図１１】
2016061400.tif 000013
【図１２】
2016061400.tif 000014
【図１３】
2016061400.tif 000015
【図１４】
2016061400.tif 000016